(57)【要約】【課題】ネックレスやブレスレットに代表される紐状装身具の連結具を交換する場合、連結具と連結している連糸や連繋索を切断し、真珠等の装飾部材を全部外して再度新しい連糸類を通し直して連結具と結び又は固定しなければならなず、元の同じ形状にに組み上げるのに時間がかかると言う問題がある。【解決手段】装飾材の末端に板ばねをコの字に整形し、両側面に穴の開いた連結ばねを取り付け、このばねを連結具本体に差し込むことでロックされ、簡単に連結できて、なおかつ外部からは連結部分見えないので簡単には抜けない機構であり、連結具本体を取り外す際は取外し治具を差込むことでピンからのロックが外れ装飾材を引き抜くことで簡単に分離することができる機構にしたことで連結具本体の簡単な交換作業と言う上記課題を解決したものである。【選択図】図１
2007313109.tif 000002
【特許請求の範囲】
【請求項１】
メス金具となる連結具本体は前部に連繋索と繋がるオス金具が挿入される誘導口と、後部には装飾材との連
結用のコの字状連結ばねが挿入される誘導口を備え、コの字状連結ばねが挿入される誘導口内側面には、コの
字状連結ばねと連結するためのピンが左右一つずつ設けられた形状からなり、連結具本体部と連結されるコの
字状連結ばねはコの字に形成された板ばねであり、両先端部を若干内側に傾斜させ、その両側面には連結具本
体内部両面に設けられたピンが入る穴部を一つずつ有し、底部には連繋索が通って繋がる穴部を一つ有した形
状を持つコの字状連結ばねとで構成されることを特徴とする装身具用連結具。
【請求項２】
オス金具およびコの字状連結ばねは装飾材が連通された連繋索または連糸の両端にそれぞれかしめによる固
定、または結びによる方法で繋がっていることを特徴とする請求項１からなる装身具用連結具。
【請求項３】
紐状装身具に使用される連結具であってメス金具となる連結具本体部が連通された装飾材から簡単に連結、
分離する機能を備えたことを特徴とする請求項１と請求項２に記載の装身具用連結具。
【発明の詳細な説明】
【技術分野】
【０００１】
本発明は、装飾材とメス金具となる連結具本体の連結、分離が可能な金具に関する。
【背景技術】
【０００２】
従来のネックレス、ブレスレット等の紐状装身具は装飾部材として真珠、水晶、ダイヤモンド、半貴石、金
属材料などがあり、それを通す連糸に代表されるものは、合成繊維糸、金属ワイヤ、テグス、ゴム、革紐等の
材料を用いた装身具がほとんどで、その両端を連結するために各種の連結具が用いられている。
その多くは特開２００１−３０９８０７や特開２００３−１１６６０８の様に連糸や連繋索部の両端と連結具
部を結んだり、かしめたりすることで一体となりその連結具が付いた両端を連結させることで環状になり装身
具として使用される。
【０００３】
しかし、連結具の不良があった場合や気に入った連結具と交換する場合にはそれを分離させなければならず、
連結具から装飾部材を通した連糸や連繋索を切断したり、引き抜いたりなどをすることにより一度装身具を解
体しなければならない。
また、新たに連結具を付ける場合には装飾部材に新しい連糸や連繋索を通し直し、再度結んだり、かしめたり
しなければならないという手間があり、元の形に付け直すことは時間がかかり困難である。
【特許文献１】特開２００１−３０９８０７
【特許文献２】特開２００３−１１６６０８
【発明の開示】
【発明が解決しようとする課題】
【０００４】
ネックレスやブレスレットに代表される紐状装身具に付いている連結具を交換する場合、連結具と連結して
いる連糸や連繋索を切断し、真珠等の装飾部材を全部外して分解した後、再度新しい連糸や連繋索を通し直し
て連結具と結んだり又はかしめて固定しなければならないため簡単な作業ではない。元の同じ形状へ組み直す
工程を省き連結具の交換作業を簡単にすることにある。
【課題を解決するための手段】
【０００５】
本発明は装飾材の末端に板ばねをコの字に整形し、両側面に穴の開いた連結ばねを取り付け、このばねを連
結具本体に差し込むことで連結具本体両内側面に設けられたピンにはまり込むことでロックされる。これによ
り簡単に連結できて、なおかつ外部からは連結部分見えないので簡単には抜けない機構である。
【０００６】
連結具本体を取り外す際はオス金具挿入誘導口より先端が二股に割れた棒状の取外し治具を差込み、両側と
も内側に傾斜したコの字状の連結ばねの先端を押して狭めることでピンからのロックが外れ装飾材を引き抜く
ことで簡単に分離することができる機構にして上記課題を解決したものである。
【発明の効果】
【０００７】
メス金具となる連結具本体の着脱作業が簡単に短時間で作業ができるようになった。また、連結具の連結部
分が外部から見えないので外部からの力により容易に脱落することがなく、外観も良いことからコの字状連結
ばねと連結用ばね挿入誘導口を共通仕様にすることで連結具本体の外観をいろいろなデザインにして、バリエ
ーションを増やすことが可能である。
【０００８】
これにより連結具本体の選択肢が増えその場で使用者の所望する連結具に交換することができる。
例えばネックレスの連結具本体の修理等の際にその場で交換することが可能で、例えば小売店舗から製造工程
へ送る時間を省くことが出来る。
また連結具が付いていない未完成の各種装飾部材を揃えておいて、その中から所望する装飾部材を選択したも
のに連結具を付けて完成品として渡すこともできる。
【発明を実施するための最良の形態】
【０００９】
各種連繋索として合成繊維糸、ステンレスワイヤ、超弾性形状記憶合
金ワイヤ、テグス、樹脂ワイヤ、ゴム紐、革紐などが可能であり、また、装飾部材として使用されているもの
はあこや真珠や黒蝶真珠、白蝶真珠、淡水真珠、マベ真珠、水晶などの宝石、またはキュービックジルコニア
やクリスタルガラス、金属等装飾部材などを組み合わせてネックレスやブレスレットおよび数珠などに対する
連結具の交換が簡単な装身具を製作する。
【実施例１】
【００１０】
実施例として真珠のネックレスを例に説明する。図１は連結具本体と真珠を通した連珠体である。連珠体は
連結具が付いていないと連結して環状にする機能が無く装身具としては成り立たない。
そのため連結具本体１を連珠体端面にあるコの字状連結ばね６とを簡単に着脱できる機構を設けた。
【００１１】
まず、連珠体と連結具本体１の連結方法について説明する。
図８、図９、図１０は連結具本体１とコの字状連結ばね６が連結する一連の流れを示した断面図である。
図８はコの字状連結ばね６を入れる前の状態である。
図９はコの字状連結ばね６を途中まで入れた状態で先端が連結ばね用止まりピン１ｄに押されて狭まっている
状態である。
図１０は連結具本体とコの字状連結ばね６がばね用止まりピン１ｄにツマミ固定用穴に入った状態である。
【００１２】
連結方法は図４のように連結具本体１のツマミ２を縦方向に持ち、コの字状連結ばねの止まり穴６ａを横方
向に向けそのまま真っ直ぐコの字状のばね６を連結具１の連結用ばね挿入誘導口に挿入して連結する。
【００１３】
図１０のように連珠体の端面の珠が連結用ばね挿入誘導口までくると、カチッと音がする。これは、コの字
状連結ばねの止まり穴６ａが連結具１の連結ばね用止まりピン１ｄに入り込んで外側に開くばねの力で収まる
ことができる。
これにより図５の様に連珠体と連結具の連結が完成する。この状態では外部に連結部分が露出していないので
外部から外力を与えて外そうとすることはできないので容易に外れることは無い。
【００１４】
次に連珠体と連結具本体１の分離方法について説明する。
図１１、図１２、図１３は連結具本体１とコの字状連結ばね６を分離する一連の流れを示した断面図である。
図１１は取り外し用棒状治具９をオス金具挿入誘導口１ｂから入れた状態である。
図１２は取り外し用棒状治具９の先端の先割れ部９ａをコの字状連結ばね６の先端を押して狭まった状態である。
図１３は連結具本体とコの字状連結ばね６がばねを分離させた状態である。
【００１５】
図１１のようにオス金具挿入誘導口から図１４に示す取り外し用棒状治具９を差込み、その先端の先割れ部
９ａをコの字状連結ばね６の先端部へ当てる。そして図１２のように先ほど先割れ部９ａ当たった場所からさ
らに押し込む。
【００１６】
これによりコの字状連結ばね６の先端は狭まり、連結ばね用止まりピン１ｄから連結ばねの止まり穴６ａが
外れる。図１３の様にそのまま連珠部分を引き抜くことで連結具本体と連珠体は分離することができる。
その後、取り外し用棒状治具９を引き抜く。
【００１７】
図２は装身具金具全体の分解部品図である。
連結具１は左右に分割されており、ツマミ２を上下に２つ挟み込み、ツマミ２はそれぞれツマミ固定用芯４を
通して固定される。
【００１８】
ツマミ２はツマミ固定用芯４を中心に回転するが連結具１のフック部押さえバーにより止まる機構になって
いる。
そのため、ツマミフック部はフック部先端部のみが連結具内部飛び出す形になる。
その形態を維持するためにツマミ後方のコイルスプリング用穴にコイルスプリング３を入れることにより常に
フック部が内部に飛び出しているようになる。
またフック部を開く場合はツマミ押し部を押すことでツマミ固定用芯４を中心に回転し、開くことが可能とな
る。
【００１９】
オス金具５は連珠体の端面とかしめるか、結ぶなどの方法により固定される。そして図６の様にオス金具の
砲弾型先端部を連結具１のオス金具挿入誘導口から挿入させて、ツマミフック部がオス金具の係り合い溝５ａ
に引っかかるようにカチッと音がするまで挿入する。
【００２０】
連結具本体１と連珠体が連結した状態でオス金具５をオス金具挿入誘導口１ｂから挿入することで図７のよ
うな連結状態になり、これにより環状の装身具となる。図３は装身具となったときの連結具の断面図である。
【００２１】
図１４は連珠体から連結具本体を取り外し用棒状治具９である。
【００２２】
図１５は連珠体に繋がるコの字状連結ばね６であり展開図である。材質はステンレス系合金、マンガン-ニッ
ケル-コバルト合金等が良い。
【００２３】
図１６はさまざまな連結具本体を付け替えることができることを示した参考図である。
【００２４】
図１７は金属ワイヤなどの連繋索とオス金具５とコの字状連結ばね６とをかしめ部材７で固定化された状態
を示した断面図である。
合成繊維などの糸の場合は、かしめ部材７の部分で折り返して連珠に戻して結ぶことで固定できる。
【産業上の利用可能性】
【００２５】
この発明は、ネックレス、ブレスレット、ペンダントチェーン、数珠、アンクレット、ストラップなどの装
身具において連結具の交換が簡便であることから交換作業がスムーズに行える。よって金具不良により交換が
あった場合は交換用連結具があればその場で交換が可能であり交換作業にかかる時間の大幅な短縮が可能であ
る。
また、小売店舗や展示会等でその場で気に入った装飾材を選定してもらった後に連結具を組み合わせることで
その場で上記の装身具を完成させることが可能である。
【図面の簡単な説明】
【００２６】
【図１】本案考案連結具と装身具の斜面図
【図２】装身具金具全体の分解部品の斜面図
【図３】装身具として連結した連結具の断面図
【図４】メス金具となる連結具本体に連珠部が挿入される時の斜視図
【図５】メス金具となる連結具本体と連珠部が連結された時の斜視図
【図６】メス金具となる連結具本体とオス金具が挿入される時の斜視図
【図７】連結具が連結されて一体になった時の斜視図
【図８】メス金具となる連結具本体とコの字状連結ばねの連結方法の断面図１
【図９】メス金具となる連結具本体とコの字状連結ばねの連結方法の断面図２
【図１０】メス金具となる連結具本体とコの字状連結ばねの連結方法の断面図３
【図１１】メス金具となる連結具本体とコの字状連結ばねの分離方法の断面図１
【図１２】メス金具となる連結具本体とコの字状連結ばねの分離方法の断面図２
【図１３】メス金具となる連結具本体とコの字状連結ばねの分離方法の断面図３
【図１４】取り外し金具の斜視図
【図１５】コの字状連結ばねの斜視図
【図１６】各種連結具を交換できる参考図
【図１７】オス金具とコの字状連結ばねの固定方法の断面図
【符号の説明】
【００２７】
１    メス金具となる連結具本体
１ａ  連結用ばね挿入誘導口
１ｂ  オス金具挿入誘導口
１ｃ  ツマミ固定用穴
１ｄ  連結ばね用止まりピン
２    ツマミ
２ａ  フック部
２ｂ  ツマミ回転用穴
２ｃ  コイルスプリング用穴
２ｄ  ツマミ押し部
３    コイルスプリング
４    ツマミ固定用芯
５    オス金具
５ａ  係合い溝
６    コの字状連結ばね
６ａ  止まり穴部
６ｂ  傾斜したばね先端部
６ｃ  連繋索挿入穴部
７    かしめ材
８    装飾部材
９    取り外し用棒状治具
９ａ  先割れ部
１０  連繋索または連糸類
【図１】
2007313109.tif 000003
【図２】
2007313109.tif 000004
【図３】
2007313109.tif 000005
【図４】
2007313109.tif 000006
【図５】
2007313109.tif 000007
【図６】
2007313109.tif 000008
【図７】
2007313109.tif 000009
【図８】
2007313109.tif 000010
【図９】
2007313109.tif 000011
【図１０】
2007313109.tif 000012
【図１１】
2007313109.tif 000013
【図１２】
2007313109.tif 000014
【図１３】
2007313109.tif 000015
【図１４】
2007313109.tif 000016
【図１５】
2007313109.tif 000017
【図１６】
2007313109.tif 000018
【図１７】
2007313109.tif 000019